(57)【要約】【課題】水中撮影時、圧力検出部に動的な圧力がかかる虞がなく、また、不用意に圧力検出部を覆って圧力検出ができなくなる状態が防止でき、周囲の圧力を正確に測定することが可能なカメラを提供する。【解決手段】カメラは、防水構造を有するカメラ筐体２と、カメラ筐体外部の水圧を測定可能な圧力センサ１４と、カメラ筐体２のカメラ把持部側に設けられ、圧力センサ１４とカメラ筐体外部とを連通するための孔部１３ａ，１１ａを有する連通部と、該連通部の孔部の近傍に設けられ、上記孔部が配されるカメラ筐体面よりも、カメラ筐体の外方に突出して形成されるストラップ取り付け金具７とを具備しており、水中撮影にて、上記カメラ把持部を把持した状態では孔部１１ａが把持する手で覆われ、しかも、塞がれことがないので、動圧が作用しにくく、水圧（静圧）のみを確実に検出することができる。【選択図】図４
2008180898.tif 000002
【特許請求の範囲】
【請求項１】
防水構造を有するカメラ筐体と、
カメラ筐体外部の水圧を測定可能な圧力検出手段と、
上記カメラ筐体のカメラ把持部側に設けられ、上記圧力検出手段とカメラ筐体外部とを連通するための孔部を有する連通部と、
上記連通部の孔部の近傍に設けられ、上記孔部が配されるカメラ筐体面よりも、カメラ筐体の外方に突出して形成される突出部と、
を具備することを特徴とするカメラ。
【請求項２】
上記圧力検出手段を覆う第一のカバーと、
上記第一のカバーを挟んで上記圧力検出手段と相反する側に配され、上記第一のカバーを覆う第二のカバーと、
上記第一のカバーに形成される第一の孔部と、
上記第二のカバーに形成され、上記第一の孔部の外周側の位置に配される第二の孔部と、
を具備し、上記連通部の孔部は、上記第一の孔部と第二の孔部とを有することを特徴とする請求項１に記載のカメラ。
【請求項３】
上記突出部は、上記連通部の孔部から所定量離間してこの孔部を覆う遮蔽部を有し、カメラ下方に向けて開放する開口部を有することを特徴とする請求項１に記載のカメラ。
【発明の詳細な説明】
【技術分野】
【０００１】
本発明は、防水構造を有し、水圧検出部を内蔵するカメラに関する。
【背景技術】
【０００２】
従来から水中での使用を可能とするための防水構造のカメラ筐体を有するカメラが広く知られている。この形式のカメラに関して、水中での使用時において、水圧を測定し、水圧許容範囲の確認や撮影時の水圧や水深といった情報を撮影画像と共に記録したり、上記情報により撮影条件を切り換えるものが提案されている。
【０００３】
特許文献１に開示されたデジタルカメラには、水圧を測定するための圧力センサ用の窓がカメラの前面に配置されている。また、特許文献２に開示されたデジタルカメラには、水圧を測定するための圧力センサがカメラ背面の液晶ディスプレイ表示窓の内側に配置されている。
【特許文献１】特開２００３−１４３４６０号公報
【特許文献２】特開２００６−１２９０１１号公報
【発明の開示】
【発明が解決しようとする課題】
【０００４】
周囲の水圧を正確に測定するためには、圧力センサ部に静的圧力が作用していることが必要である。即ち、上記圧力センサ部に動的に水が当たった場合、正確に周囲の水圧が測定できず、実際よりも高い水圧がかかっていると誤認識する虞がある。上記圧力センサ部に動的水圧が作用するのは、カメラを水中で移動させたときや、流れのある水中で使用したときなどが考えられる。
【０００５】
一方、圧力検出部を手で塞いでしまうような場合には、上述した場合とは逆に実際よりも低い水圧がかかっていると誤認識する虞がある。
【０００６】
例えば、上記特許文献１に開示されたデジタルカメラでは、上記圧力センサ用窓がカメラの前面に配置されていることから上述した動圧が作用する確率が高い。また、カメラの把持状態によっては、上記水圧センサ用窓を塞いでしまい、水圧を測定できない状態になる可能性もあった。特に圧力センサ用窓がカメラ前面に配されているとその窓を把持した手で塞ぐ可能性が高い。
【０００７】
また、上記特許文献２に開示されたデジタルカメラでは、上記圧力センサが上記表示窓の内側に配置されているので、カメラ移動中に該表示窓に上記動圧がかかり、同様に誤認識する可能性が高い。
【０００８】
以上のような事情に鑑み、本発明は、水中撮影時、圧力検出部に動的な圧力がかかる虞がなく、また、不用意に圧力検出部を覆って圧力検出ができなくなる状態が防止でき、水圧を正確に測定することが可能なカメラを提供することを目的とする。
【課題を解決するための手段】
【０００９】
本発明の請求項１に記載のカメラは、防水構造を有するカメラ筐体と、カメラ筐体外部の水圧を測定可能な圧力検出手段と、上記カメラ筐体のカメラ把持部側に設けられ、上記圧力検出手段とカメラ筐体外部とを連通するための孔部を有する連通部と、上記連通部の孔部の近傍に設けられ、上記孔部が配されるカメラ筐体面よりも、カメラ筐体の外方に突出して形成される突出部とを具備する。
【００１０】
本発明の請求項２に記載のカメラは、請求項１に記載のカメラにおいて、さらに、上記圧力検出手段を覆う第一のカバーと、上記第一のカバーを挟んで上記圧力検出手段と相反する側に配され、上記第一のカバーを覆う第二のカバーと、上記第一のカバーに形成される第一の孔部と、上記第二のカバーに形成され、上記第一の孔部の外周側の位置に配される第二の孔部と、を具備し、上記連通部の孔部は、上記第一の孔部と第二の孔部とを有する。
【００１１】
本発明の請求項３に記載のカメラは、請求項１に記載のカメラにおいて、上記突出部は、上記連通部の孔部から所定量離間してこの孔部を覆う遮蔽部を有し、カメラ下方に向けて開放する開口部を有する。
【発明の効果】
【００１２】
本発明によれば、水中撮影時、圧力検出部に動的な圧力がかかる虞がなく、また、不用意に圧力検出部を覆って圧力検出ができなくなる状態が防止でき、周囲の圧力を正確に測定することが可能なカメラを提供できる。
【発明を実施するための最良の形態】
【００１３】
以下、図を用いて本発明の実施形態について説明する。
【００１４】
図１は、本発明の第一の実施形態のカメラの正面図である。図２は、上記カメラの背面図であって、右手でカメラを把持した状態を示している。図３は、図２のＡ矢視図である。図４は、図３のＢ−Ｂ断面図である。図５は、図４のＣ矢視図である。
【００１５】
図１に示すように本実施形態のカメラ（デジタルカメラ）１は、カメラ外装体となるカメラ筐体２を有しており、カメラ筐体２の前面側に光軸Ｏを有する撮影レンズ３と、ストロボ発光窓５が配され、上面にレリーズ釦６が配され、さらに、カメラ把持部側となる左側面部２ａには突出部を形成するストラップ取り付け金具７が配されている。また、背面部には、操作スイッチ釦群９とモニタ表示窓８が配されている（図２）。
【００１６】
なお、カメラ筐体２内には、図示しないレンズ鏡筒部、ＣＣＤ撮像部、撮像制御部等が内蔵され、さらに、圧力検出手段である筐体外部水圧測定用圧力センサ１４が内蔵されている（図４）。そして、カメラ筐体２は、防水構造を有しており、本カメラ１は水中撮影が可能である。
【００１７】
カメラ筐体２の左側面部２ａに配されるストラップ取り付け金具７は、左側面部２ａよりも突出した状態で配されている。そして、左側面部２ａ上のストラップ取り付け金具７の近傍に第二のカバーである外センサカバー１１が配されている（図３）。外センサカバー１１には、第二の孔部１１ａが複数個、設けられている。
【００１８】
外センサカバー１１の内側には隙間２ｄを設けた状態で第一のカバーである内センサカバー１３が配される。内センサカバー１３には第一の孔部１３ａが１つ設けられている。そして、内センサカバー１３の内側に第一の孔部１３ａに対向する状態で圧力センサ１４が配される（図３）。
【００１９】
外センサカバー１１と内センサカバー１３は、重畳した状態でビス１２によりカメラ筐体２の左側面部２ａに固着される。圧力センサ１４は、内センサカバー１３により防水パッキング１５を介してセンサ取り付け部２ｅに押さえ込まれた状態で固着される。なお、圧力センサ１４は、フレキシブルプリント基板１６に実装されており、図示しないカメラの撮像制御部に電気接続される。
【００２０】
外センサカバー１１、内センサカバー１３が左側面部２ａへの取り付けられた状態で圧力センサ１４の検出部は、連通部を形成する第一の孔部１３ａ，隙間２ｄ，第二の孔部１１ａにより外部と連通した状態となる。また、外センサカバー１１の第二の孔部１１ａは、内センサカバー１３の第一の孔部１３ａの周囲の位置に配される（図５）。即ち、第一の孔部１３ａと第二の孔部１１ａとは互いに重なることのないように位置をずらして配置されている。従って、水中にて第二の孔部１１ａに直接水流が当たったとしてもその動圧が直接的に圧力センサ１４の検出部に作用することがない。
【００２１】
なお、第二の孔部１１ａは第一の孔部１３ａから隙間２ｄの寸法分以上、離間した位置に配置されることが望ましい。このように配置すれば、第二の孔部１１ａに斜め方向から水流が当たったとしてもその動圧が直接的に圧力センサ１４の検出部に作用することがない。
【００２２】
また、本実施の形態においては第一の孔部１３ａを圧力センサ１４の中央部に対応する位置に一つ配置しているが、第一の孔部１３ａを複数個設けても良い。この場合においても第一の孔部と第二の孔部とが互いに重なることのないように位置をずらして配置することが望ましい。
【００２３】
上述した構成を有する本実施形態のカメラ１により水中撮影を行う場合、カメラ筐体２は、撮影者の右手１０により左側面部２ａをストラップ取り付け金具７の上から把持される。この状態では、カメラ筐体２を把持した右手１０は、取り付け金具７を覆う状態になる一方、左側面部２ａ上の第一の孔部１１ａを塞ぐことがない（図２）。従って、水圧（静圧）は、第二の孔部１１ａ，第一の孔部１３ａを通して圧力センサ１４に確実に作用する。さらに、カメラ１を水中で移動させたとしても把持した右手１０により水流が遮られるので動圧が直接圧力センサ１４に作用することなく、静圧のみが検出される状態が得られる。
【００２４】
圧力センサ１４のより検出された水圧（静圧）は、撮像制御部で検出され、現在の水深がカメラの許容範囲であるかの判断や、水圧に応じた撮影条件の設定が行われ、さらに、上記現在の水深データが撮影画像データとともに記録される。
【００２５】
本実施形態のカメラ１によれば、水中撮影を行う場合、撮影状態における水深データをより確実に取り込むことが可能である。具体的には第二の孔部１１ａが配されている外センサカバー１１が突状のストラップ取り付け金具７が配されるカメラ把持部側の左側面部２ａ上に配されている。よって、カメラ筐体２を把持する場合、おのずと突部であるストラップ取り付け金具７により、把持する手が離間される。従って、連通部の孔部である第二の孔部を指や手のひらで塞ぐことなく水圧を確実に検出できる。
【００２６】
更に、本実施形態においては、カメラ筐体２の把持部側の側面である左側面部２ａに連通部の孔部である第二の孔部１１ａを設けている。そして、カメラを把持した場合、カメラの側面部には手のひら部が対応することが多い。従って、指などが位置する箇所に比して、連通部の孔部を塞ぐ可能性が低い。従って、カメラ筐体２の側面部に連通部の孔部を配置することによっても、指などにより孔部を塞がれる可能性を低めることが出来る。
【００２７】
また、本実施形態においては、連通部の孔部である第二の孔部を複数個設けている。従って、例えば一つの第二の孔部が指などにより塞がれたとしても他の第二の孔部が塞がれていなければ正確に水圧を測定することができる。また、カメラを把持した状態でカメラ１を水中で移動させたとしてもカメラ筐体２を把持した手で移動による水流が遮断され、動圧を検出することなく静圧のみを確実に検出することができる。そして、センサカバーの第二の孔部１１ａ，第一の孔部１３ａの配置構造も簡単であり、コストアップの要因にならない。
【００２８】
次に、本発明の第二の実施形態のカメラについて、図６〜８を用いて説明する。
【００２９】
図６は、本実施形態のカメラの背面図であって、右手で把持した状態を示す。図７は、図６のＤ矢視図である。図８は、図７のＥ−Ｅ断面図であって、圧力センサ周りの断面を示している。
【００３０】
本実施形態のカメラ１Ｂは、第一の実施形態のカメラ１に対して圧力センサまわり以外は、同一の構成を有しており、同一構成部材には、同一の符号を付して、以下、異なる部分について説明する。
【００３１】
図７に示すように本実施形態のカメラ１Ｂにおいてもカメラ筐体２Ｂのカメラ把持部側となる左側面部２Ｂａには突出部を形成するストラップ取り付け金具７が配されている。左側面部２Ｂａ上のストラップ取り付け金具７の前側にて上下に延びた状態の第二のカバーである外センサカバー１１Ｂが配されている。外センサカバー１１Ｂの上下部には、複数の第二の孔部１１Ｂａ，１１Ｂｂがそれぞれ設けられている。
【００３２】
図８に示すように外センサカバー１１Ｂの内側には隙間２Ｂｄを設け、離間した状態で第一のカバーである内センサカバー１３Ｂが配される。内センサカバー１３Ｂの中央部には第一の孔部１３Ｂａが一つ設けられている。そして、内センサカバー１３Ｂの内側に第一の孔部１３Ｂａに対向する状態で圧力検出手段である筐体外部水圧測定用圧力センサ１４が、その中央部が第一の孔部１３Ｂａに対向するように配される。
【００３３】
外センサカバー１１Ｂは、カメラ筐体２Ｂの左側面部２Ｂａ上にビス１７により固着される。また、内センサカバー１３Ｂは、カメラ筐体２Ｂの左側面部２Ｂａ内側にビス１８により固着される。圧力センサ１４は、内センサカバー１３Ｂにより防水パッキング１５を介してセンサ取り付け部２Ｂｅに押さえ込まれた状態で固着される。
【００３４】
外センサカバー１１Ｂ、内センサカバー１３Ｂの上記取り付け状態で圧力センサ１４の検出部は、連通部を形成する第一の孔部１３Ｂａ，隙間２Ｂｄ，第二の孔部１１Ｂａ，１１Ｂｂを介してカメラ筐体２Ｂの外部と連通する状態となっている。そして、カメラ筐体２Ｂの左側面部２Ｂａ上で外センサカバー１１Ｂの第二の孔部１１Ｂａと１１Ｂｂから離れた中間の位置に内センサカバー１３Ｂの第一の孔部１３Ｂａが位置するように配されている（図７，８）。従って、水中にあって第二の孔部１１Ｂａに万一、水流が当たったとしてもその動圧が直接的に圧力センサ１４の検出部に作用することがない。特に本実施形態の場合、隙間２Ｂｄの寸法分に比して第二の孔部１１Ｂａ，１１Ｂｂが第一の孔部１３Ｂａから離間して配置することができるので、斜め方向からの水流が第二の孔部１１Ｂａ，１１Ｂｂに当たったとしてもその動圧が直接的に圧力センサ１４の検出部に作用することがない。
【００３５】
上述した構成を有する本実施形態のカメラ１Ｂにより水中撮影を行う場合、カメラ筐体２Ｂは、撮影者の右手１０により左側面部２Ｂａをストラップ取り付け金具７の上から把持される（図６）。この状態では、カメラ筐体２Ｂを把持した右手１０は、取り付け金具７を覆う状態になるが左側面部２Ｂａ上の第二の孔部１１Ｂａ，１１Ｂｂに対して右手１０は両方同時に密着することなく、少なくとも第二の孔部１１Ｂａ，１１Ｂｂのいずれか一方は、確実に開放状態に保たれる。
【００３６】
従って、水圧（静圧）は、上記連通部の孔部（第一、第二の孔部）を通して圧力センサ１４の検出部に確実に作用する。さらに、カメラ１を水中で移動させたとしてもカメラ筐体２Ｂを把持した右手１０により水流が遮られるので動圧が圧力センサ１４に作用することなく、静圧のみが検出される状態が得られる。
【００３７】
本実施形態のカメラ１Ｂによれば、第一の実施形態の場合と同様の効果を奏し、水中撮影を行う場合、撮影状態における水深データをより確実に取り込むことが可能である。特にカメラを把持した状態で外センサカバー１１Ｂの第二の孔部１１Ｂａと１１Ｂｂが上下に離れて配されているので、少なくとも一方の孔部は開放されており、より確実に水圧を検出することができる。
【００３８】
次に、本発明の第三の実施形態のカメラについて、図９〜１１を用いて説明する。
【００３９】
図９は、本実施形態のカメラの背面図であって、右手で把持した状態を示す。図１０は、上記カメラの下面図であって、同じく右手で把持した状態を示す。図１１は、図９のＦ矢視図である。
【００４０】
本実施形態のカメラ１Ｃは、第一の実施形態のカメラ１に対してストラップ取り付け金具および圧力センサまわり以外は、同一の構成を有しており、同一構成部材には、同一の符号を付して、以下、異なる部分について説明する。
【００４１】
図９〜１１に示すように本実施形態のカメラ１Ｃにおいてもカメラ筐体２Ｃのカメラ把持部側となる左側面部２Ｃａには突出部を形成し、かつ、第二のカバーを兼ねるＴ字型断面のストラップ取り付け金具７Ｃが配されている。ストラップ取り付け金具７Ｃには、突出部にストラップ挿通穴７Ｃａが設けられ、さらに、左側面取り付け部側に上下に２つの第二の孔部７Ｃｂが設けられている。
【００４２】
カメラ筐体２Ｃの左側面部２Ｃａの中央内部に第一のカバーである内センサカバー１３Ｃが配されている。内センサカバー１３Ｃには、第一の孔部１３Ｃａが一つ設けられている。さらに、第一の孔部１３Ｃａに対向した状態で圧力検出手段である筐体外水圧測定用圧力センサ（図示せず）がカメラ筐体２Ｃ内部に組み付けられている。
【００４３】
ストラップ取り付け金具７Ｃの第二の孔部７Ｃｂと内センサカバー１３Ｃの第一の孔部１３Ｃａとは、カメラ筐体２Ｃの左側面部２Ｃａの壁内部に形成される隙間２Ｃｄにより連通している。従って、カメラ筐体２Ｃ外の水圧は、連通部を形成する第二の孔部７Ｃｂから隙間２Ｃｄさらに第一の孔部１３Ｃａを経て伝達され、上記圧力センサ１４により検出される。
【００４４】
上述した構成を有する本実施形態のカメラ１Ｃにより水中撮影を行う場合、カメラ筐体２Ｃは、撮影者の右手１０により左側面部２Ｃａをストラップ取り付け金具７Ｃの上から把持される（図９，１０）。この状態では、カメラ筐体２Ｃを把持した右手１０は、ストラップ取り付け金具７Ｃを覆う状態になり、ストラップ取り付け金具７Ｃ上の第二の孔部７Ｃｂを塞ぐ状態にはならない。従って、第二の孔部７Ｃｂは、確実に開放状態に保たれる。
【００４５】
従って、水圧（静圧）は、連通部を形成する第二の孔部７Ｃｂ，隙間２Ｃｄ，第一の孔部１３Ｃａを通して圧力センサに確実に作用する。さらに、カメラ１Ｃを水中で移動させたとしてもカメラ筐体２Ｃを把持した右手１０により水流が遮られるので動圧が圧力センサに作用することなく、静圧のみが検出される状態が得られる。
【００４６】
本実施形態のカメラ１Ｃによれば、第一の実施形態の場合と同様の効果を奏し、水中撮影を行う場合、撮影状態における水深データをより確実に取り込むことが可能である。特にストラップ取り付け金具７Ｃに連通部を構成する孔部が設けられていることからカメラを把持した状態で該孔部は確実に開放され、かつ、カメラを把持した手１０により水流が遮断され、より正確な水圧を検出することができる。
【００４７】
次に、本発明の第四の実施形態のカメラについて、図１２，１３を用いて説明する。
【００４８】
図１２は、本実施形態のカメラをグリップ側からみた側面図である。図１３は、図１２のＧ−Ｇ断面図であって、圧力センサ周りの断面を示している。
【００４９】
本実施形態のカメラ１Ｄは、第一の実施形態のカメラ１に対して圧力センサまわり以外は、同一の構成を有しており、同一構成部材には、同一の符号を付して、以下、異なる部分について説明する。
【００５０】
図１２に示すように本実施形態のカメラ１Ｄにおいては、カメラ筐体２Ｄのカメラ把持部側となる左側面部２Ｄａに突出部２Ｄｂを設け、該突出部に覆われた状態で下方側に開口する第二の孔部である開口２Ｄｃを設ける。突出部２Ｄｂの内壁側に隙間２Ｄｄを隔てて第一のカバーである内センサカバー１３Ｄが配される。内センサカバー１３Ｄには、第一の孔部１３Ｄａが設けられる。圧力検出手段である水圧測定用圧力センサ１４は、第一の孔部１３Ｄａに対向した状態で内センサカバー１３Ｄにより防水パッキング１５を介してカメラ筐体２Ｄのセンサ取り付け部２Ｄｅに固着される。
【００５１】
上記取り付け状態で圧力センサ１４の前面検出部は、連通部を形成する第一の孔部１３Ｄａ，隙間２Ｄｄ，開口２Ｄｃを介してカメラ筐体２の外部と連通する。
【００５２】
上述した構成を有する本実施形態のカメラ１Ｄにより水中撮影を行う場合、カメラ筐体２Ｄは、撮影者の右手１０により左側面部２Ｄａを把持される（図６）。この状態では、カメラ筐体２Ｄを把持した右手１０は、図１３に示すように突出部２Ｄｂを覆うような状態になり、開口２Ｄｃは、確実に開放状態に保たれる。従って、水圧（静圧）は、上記連通部を通して圧力センサ１４の検出部に確実に作用する。さらに、カメラ１を水中で移動させたとしてもカメラ筐体２Ｄを把持した右手１０により水流が遮られるので動圧が圧力センサ１４に作用することなく、静圧のみが検出される状態が得られる。
【００５３】
本実施形態のカメラ１Ｄによれば、第一の実施形態の場合と同様の効果を奏し、水中撮影を行う場合、撮影状態における水深データをより確実に取り込むことが可能である。特にカメラを把持した状態でカメラ筐体２Ｄの突出部２Ｄｂの下方側に設けられた開口２Ｄｃが確実に開放状態に保持され、より確実に水圧を検出することができる。また、カメラを把持した状態で開口２Ｄｂがカメラの下方に向けて開放するように形成したので、例えば水中からカメラを出した場合などに、内部に水が溜まることを防ぐことが出来る。
【００５４】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００５５】
本発明によるカメラは、水中撮影時、圧力検出部に動的な圧力がかかる虞がなく、また、不用意に圧力検出部を覆って圧力検出ができなくなる状態が防止でき、周囲の圧力を正確に測定することが可能なカメラとして利用することができる。
【図面の簡単な説明】
【００５６】
【図１】本発明の第一の実施形態のカメラの正面図である。
【図２】図１のカメラの背面図であって、右手で把持した状態を示している。
【図３】図２のＡ矢視図である。
【図４】図３のＢ−Ｂ断面図である。
【図５】図４のＣ矢視図である。
【図６】本発明の第二の実施形態のカメラの背面図であって、右手で把持した状態を示す。
【図７】図６のＤ矢視図である。
【図８】図７のＥ−Ｅ断面図であって、圧力センサ周りの断面を示している。
【図９】本実施形態のカメラの背面図であって、右手で把持した状態を示す。
【図１０】本発明の第三の実施形態のカメラの下面図であって、右手で把持した状態を示す。
【図１１】図９のＦ矢視図である。
【図１２】本発明の第四の実施形態のカメラをグリップ側からみた側面図である。
【図１３】図１２のＧ−Ｇ断面図であって、圧力センサ周りの断面を示している。
【符号の説明】
【００５７】
２，２Ｂ，２Ｃ，２Ｄ
…カメラ筐体
２ａ，２Ｂａ，２Ｃａ，２Ｄａ
…カメラ筐体左側面部（カメラ把持部側）
２ｄ，２Ｂｄ，２Ｃｄ，２Ｄｄ
…隙間（連通部）
２Ｄｂ…突出部
２Ｄｃ…開口（開口部）
７，７Ｃ
…ストラップ取り付け金具（突出部）
７Ｃｂ，１１ａ，１１Ｂａ
…第二の孔部（連通部）
１１，１１Ｂ
…外センサカバー（第二のカバー）
１３ａ，１３Ｂａ，１３Ｃａ，１３Ｄａ
…第一の孔部（連通部）
１３，１３Ｂ，１３Ｃ，１３Ｄ
…内センサカバー（第一のカバー）
１４  …圧力センサ（圧力検出手段）
【図１】
2008180898.tif 000003
【図２】
2008180898.tif 000004
【図３】
2008180898.tif 000005
【図４】
2008180898.tif 000006
【図５】
2008180898.tif 000007
【図６】
2008180898.tif 000008
【図７】
2008180898.tif 000009
【図８】
2008180898.tif 000010
【図９】
2008180898.tif 000011
【図１０】
2008180898.tif 000012
【図１１】
2008180898.tif 000013
【図１２】
2008180898.tif 000014
【図１３】
2008180898.tif 000015